(57)【特許請求の範囲】
【請求項１】
折り畳み可能なヘルメットであって、
帽体は、
硬質合成樹脂によって、湾曲した円盤状に形成された頭頂カバーと、
硬質合成樹脂によって環状に形成された頭部外周カバーと、
可撓性合成樹脂によって形成され、頭頂カバーの周縁と頭部外周カバーの上縁を連結する環状の連結カバーとで構成され、
連結カバーを頭部外周カバーの内側に撓ませて頭頂カバーを頭部外周カバー内に収納でき、連結カバーを頭部外周カバーの外側に撓ませて頭頂カバーを頭部外周カバーから引き出すことができ、
連結カバーは、頭頂カバーを頭部外周カバーから突出した状態で保持可能な弾性を有する
ことを特徴とする折り畳みヘルメット。
【請求項２】
帽体の周囲には、ガード手段が設けられ、
ガード手段は、
頭部外周カバーの外周面に取り付けられる環状の外周ガードと、
外周ガードの上部周縁に屈曲可能に設けられ、連結カバーの外周面側をガードする複数の羽根ガードと、
頭頂カバーに設けられ、前記複数の羽根ガードの先端部に接触可能な上部ガードとを有し、
連結カバーを頭部外周カバーの内側に撓ませて頭頂カバーを頭部外周カバー内に収納すると上部ガードが複数の羽根ガードの先端部を押し下げて屈曲させ、連結カバーを頭部外周カバーの外側に撓ませて頭頂カバーを頭部外周カバーから引き出すと、複数の羽根ガードが押し上げられて連結カバーを覆うことを特徴とする請求項１記載の折り畳みヘルメット。
【発明の詳細な説明】
【技術分野】
【０００１】
本発明は、折り畳むことができる折り畳みヘルメットに関するものである。
【背景技術】
【０００２】
従来からある折り畳みヘルメットは、略水平方向で複数の部品に分割されており、分割された各部品に、互いに連結する連結部が形成されている（特許文献１〜３）。即ち、従来からある折り畳みヘルメットは、帽体が、湾曲した円盤状に形成された頭頂カバーと、環状に形成された上頭部外周カバーと、環状に形成された下頭部外周カバーとで構成されている。上記頭頂カバー、上頭部外周カバー及び下頭部外周カバーは、硬質合成樹脂によって、別々に構成されている。
【０００３】
従来の折り畳みヘルメットは、頭頂カバー及び上頭部外周カバーを下頭部外周カバー内に順に収納して折り畳むと、頭頂カバー、上頭部外周カバー、下頭部外周カバーが分離する。また、頭頂カバー及び上頭部外周カバーを下頭部外周カバーから引き出すと、頭頂カバーと上頭部外周カバーの連結部同士が連結し、上頭部外周カバーと下頭部外周カバーの連結部同士が連結して一体となる。このように、従来の折り畳みヘルメットは、頭頂カバー及び上頭部外周カバーを下頭部外周カバー内に収納して折り畳むと、頭頂カバーと上頭部外周カバーと下頭部外周カバーが別体となり、頭頂カバーと上頭部外周カバーを下頭部外周カバーから引き出して展開すると、頭頂カバーと上頭部外周カバーが下頭部外周カバーに連結されて一体となる。
【先行技術文献】
【特許文献】
【０００４】
【特許文献１】実開昭５９−１１３３２３号公報
【特許文献２】特開２０００−１９２３２０号公報
【特許文献１】特開２００４−８４１４５号公報
【発明の概要】
【発明が解決しようとする課題】
【０００５】
従来の折り畳みヘルメットは、頭頂カバー及び上頭部外周カバーを下頭部外周カバー内に収納して折り畳むと、頭頂カバーと上頭部外周カバーと下頭部外周カバーが分離するので、頭頂カバーと上頭部外周カバーの間及び上頭部外周カバーと下頭部外周カバーの間に隙間があいており、雨等の水が隙間から侵入して内部を濡らす恐れがあるという問題点があった。また、頭頂カバーの折り畳み時に、頭頂カバーと上頭部外周カバーと下頭部外周カバーが分離しているので、頭頂カバーが上頭部外周カバー内でがたつき、上頭部外周カバーが下頭部外周カバー内でがたつくことになり、分離した頭頂カバー及び上頭部外周カバーが下頭部外周カバー内で動いて当たり、擦れたり、凹む等して合成樹脂の物性の劣化を早める原因になるという問題点があった。また、頭頂カバーの折り畳み時に、頭頂カバーと上頭部外周カバーと下頭部外周カバーが分離しているので、動いて偏った状態になる場合もあり、係る場合、下頭部外周カバーから頭頂カバー及び上頭部外周カバーをスムーズに引き出せなくなるという問題点があった。
【０００６】
従来の折り畳みヘルメットは、頭頂カバー及び上頭部外周カバーを下頭部外周カバーから引き出すと、頭頂カバーと上頭部外周カバーの連結部同士が連結し、上頭部外周カバーと下頭部外周カバーの連結部同士が連結してヘルメットの帽体を形成するが、前記した連結部が帽体内に突出した状態となる。ヘルメットの帽体を頭部に被せると連結部が頭部に接触する可能性がある。特に、折り畳みヘルメットを頭に被せた状態で衝撃を受けると、場合によっては連結部が頭部に当たって頭を傷付けてしまう可能性があるという問題点もあった。従来の折り畳みヘルメットは、頭頂カバー、上頭部外周カバー及び下頭部外周カバーが分離しているので、それぞれ別個に形成しなければならず、また、頭頂カバー及び上頭部外周カバーを下頭部外周カバーから引き出した時に確実に連結できる形状にしなければならないので、精度が要求され、製造が極めて面倒であるという問題点があった。また、頭頂カバー及び上頭部外周カバーを下頭部外周カバーから引き出した時に連結できるような微妙な位置関係が必要であり、組み立ても面倒であるという問題点があった。
【０００７】
本願発明は、上記問題点に鑑み案出したものであって、各部品カバーが可撓性連結カバーを介して一体的に形成されており、各部品カバーの折り畳み時及び展開時でも一体化しており、製造及び組み立てが容易な折り畳みヘルメットを提供することを第１の目的とする。また、各部品カバーの展開時に、比較的柔らかい可撓性連結カバーを覆って保護するガード手段を設けた折り畳みヘルメットを提供することを第２の目的とする。
【課題を解決するための手段】
【０００８】
本願請求項１に係る折り畳みヘルメットは、上記第１の目的を達成するため、折り畳み可能なヘルメットであって、帽体は、硬質合成樹脂によって、湾曲した円盤状に形成された頭頂カバーと、硬質合成樹脂によって環状に形成された頭部外周カバーと、可撓性合成樹脂によって形成され、頭頂カバーの周縁と頭部外周カバーの上縁を連結する環状の連結カバーとで構成され、連結カバーを頭部外周カバーの内側に撓ませて頭頂カバーを頭部外周カバー内に収納でき、連結カバーを頭部外周カバーの外側に撓ませて頭頂カバーを頭部外周カバーから引き出すことができることを特徴とする。
【０００９】
本願請求項２に係る折り畳みヘルメットは、上記第２の目的を達成するため、帽体の周囲には、ガード手段が設けられ、ガード手段は、頭部外周カバーの外周面に取り付けられる環状の外周ガードと、外周ガードの上部周縁に屈曲可能に設けられ、連結カバーの外周面側をガードする複数の羽根ガードと、頭頂カバーに設けられ、前記複数の羽根ガードの先端部に接触可能な上部ガードとを有し、連結カバーを頭部外周カバーの内側に撓ませて頭頂カバーを頭部外周カバー内に収納すると上部ガードが複数の羽根ガードの先端部を押し下げて屈曲させ、連結カバーを頭部外周カバーの外側に撓ませて頭頂カバーを頭部外周カバーから引き出すと、複数の羽根ガードが押し上げられて連結カバーを覆うことを特徴とする。
【発明の効果】
【００１０】
本願発明に係る折り畳みヘルメットは、折り畳み可能なヘルメットであって、帽体は、硬質合成樹脂によって、湾曲した円盤状に形成された頭頂カバーと、硬質合成樹脂によって環状に形成された頭部外周カバーと、可撓性合成樹脂によって形成され、頭頂カバーの周縁と頭部外周カバーの上縁を連結する環状の連結カバーとで構成され、連結カバーを頭部外周カバーの内側に撓ませて頭頂カバーを頭部外周カバー内に収納でき、連結カバーを頭部外周カバーの外側に撓ませて頭頂カバーを頭部外周カバーから引き出すことができる。
【００１１】
本願発明に係る折り畳みヘルメットは、帽体が頭頂カバーと頭部外周カバーと連結カバーとで一体形成されているので、引き出し時及び収納時に、頭頂カバーと連結カバーの間、及び、連結カバーと頭部外周カバーの間に隙間があくことがなく、雨等の水が隙間から侵入して内部を濡らす恐れがないという効果がある。また、帽体が頭頂カバーと頭部外周カバーと連結カバーとで一体形成されているので、頭頂カバーの折り畳み時に、頭頂カバーが頭部外周カバー内でがたつくことがなく、頭頂カバーが頭部外周カバー内で動いて、擦れたり、凹む等して、内部を傷付けたり、合成樹脂の物性の劣化を早めることがないという効果がる。また、頭頂カバーの折り畳み時に、頭頂カバーと連結カバーと頭部外周カバーが一体化しているので、動いて偏った状態になることがなく、頭頂カバーを頭部外周カバーからスムーズに引き出すことができるという効果がある。このように、本願発明に係る折り畳みヘルメットは、連結カバーを頭部外周カバーの内側に撓ませて頭頂カバーを頭部外周カバー内に収納して折り畳むことができ、連結カバーを頭部外周カバーの外側に撓ませて頭頂カバーを頭部外周カバーから引き出して展開することができ、簡単に使用することができるという効果がある。
【００１２】
本願発明に係る折り畳みヘルメットは、頭頂カバーと頭部外周カバーと連結カバーを連結する連結部がないので、頭頂カバーを頭部外周カバーから引き出してヘルメットの帽体を形成しても、帽体の内面に突出部が存在せずに平面であり、ヘルメットの帽体を頭部に被っても、頭部に接触する突出部がないので、頭を傷付けてしまう恐れがないという効果がある。本願発明に係る折り畳みヘルメットは、帽体が、頭頂カバーと頭部外周カバーと連結カバーとで一体形成されているので、それぞれ別個に製造する手間が省け安価且つ容易に製造することができるという効果がある。本願発明に係る折り畳みヘルメットは、帽体が頭頂カバーと頭部外周カバーと連結カバーとで一体形成されているので、頭頂カバーを頭部外周カバーから引き出した時に確実に連結できる連結部等の面倒な構成を必要とせず、製造が容易であり、頭頂カバーと連結カバーと頭部外周カバーの微妙な位置関係が不要で、組み立てが容易であるという効果がある。
【００１３】
本願発明に係る折り畳みヘルメットは、帽体の周囲には、ガード手段が設けられ、ガード手段は、頭部外周カバーの外周面に取り付けられる環状の外周ガードと、外周ガードの上部周縁に屈曲可能に設けられ、連結カバーの外周面側をガードする複数の羽根ガードと、頭頂カバーに設けられ、前記複数の羽根ガードの先端部に接触可能な上部ガードとを有し、連結カバーを頭部外周カバーの内側に撓ませて頭頂カバーを頭部外周カバー内に収納すると上部ガードが複数の羽根ガードの先端部を押し下げて屈曲させ、連結カバーを頭部外周カバーの外側に撓ませて頭頂カバーを頭部外周カバーから引き出すと、複数の羽根ガードが押し上げられて連結カバーを覆う。
【００１４】
本願発明に係る折り畳みヘルメットは、上記効果に加えて、折り畳んだ状態から、連結カバーを頭部外周カバーの外側に撓ませて頭頂カバーを頭部外周カバーから引き出して展開して帽体を構成すると、比較的柔らかい可撓性連結カバーが複数の羽根ガードによって覆われてガードされるので、ヘルメットの防御機能を高めることができるという効果がある。また、本願発明に係る折り畳みヘルメットは、連結カバーを頭部外周カバーの内側に撓ませて頭頂カバーを頭部外周カバー内に収納して折り畳むと、上部ガードが羽根ガードの先端部を押し下げて屈曲させるので、折り畳んだ時に複数の羽根ガードが折り畳まれて折り畳み時の障害にはならないという効果がある。
【図面の簡単な説明】
【００１５】
【図１】本願発明に係る折り畳みヘルメットの折り畳んだ状態を説明する説明図であって、（ａ）が平面図、（ｂ）が側面図、（ｃ）が底面図である。
【図２】図１の断面図であって、（ａ）がＣ−Ｃ断面図、（ｂ）がＤ−Ｄ断面図である。
【図３】図１の折り畳みヘルメットの展開した状態を説明する説明図であって、（ａ）が平面図、（ｂ）が側面図、（ｃ）が底面図である。
【図４】図３の断面図であって、（ａ）がＡ−Ａ断面図、（ｂ）がＢ−Ｂ断面図である。
【図５】図１の折り畳みヘルメットのガード手段を説明する説明図であって、（ａ）が平面図、（ｂ）が側面図、（ｃ）が底面図である。
【図６】図５のガード手段を展開した説明図である。
【図７】図１の折り畳みヘルメットの折り畳んだ状態の上部斜視図である。
【図８】図７の下部斜視図である。
【図９】図７の平面図である。
【図１０】図７の右側面図である。
【図１１】図７の底面図である。
【図１２】図７の正面図である。
【図１３】図７の背面図である。
【図１４】図１の折り畳みヘルメットの展開した状態の上部斜視図である。
【図１５】図１４の下部斜視図である。
【図１６】図１４の右側面図である。
【図１７】図１の折り畳みヘルメットの帽体を折り畳んだ状態の平面図である。
【図１８】図１７の右側面図である。
【図１９】図１７の底面図である。
【図２０】図１７の正面図である。
【図２１】図１７の背面図である。
【図２２】図１７の帽体を展開した状態の平面図である。
【図２３】図１７の右側面図である。
【発明を実施するための形態】
【００１６】
折り畳みヘルメット１は、図１，７に示すように、折り畳み可能である。折り畳みヘルメット１の帽体２は、図４，２３に示すように、硬質合成樹脂によって、湾曲した円盤状に形成された頭頂カバー３と、硬質合成樹脂によって環状に形成された頭部外周カバー７と、可撓性合成樹脂によって形成され、頭頂カバー３の周縁３ａと頭部外周カバー７の上縁７ａを連結する環状の連結カバー５とで構成されている。折り畳みヘルメット１の帽体２は、図２，１８に示すように、連結カバー５を頭部外周カバー７の内側に撓ませて頭頂カバー３を頭部外周カバー７内に収納でき、図４，２３に示すように、連結カバー５を頭部外周カバー７の外側に撓ませて頭頂カバー３を頭部外周カバー７から引き出すことができる。
【００１７】
折り畳みヘルメット１は、帽体２が頭頂カバー３と頭部外周カバー７と連結カバー５とで一体形成されているので、引き出し時及び収納時に、頭頂カバー３と連結カバー５の間、及び、連結カバー５と頭部外周カバー７の間に隙間があくことがなく、雨等の水が隙間から侵入して内部を濡らす恐れがない。また、帽体２が頭頂カバー３と頭部外周カバー７と連結カバー５とで一体形成されているので、頭頂カバー３の折り畳み時に、頭頂カバー３が頭部外周カバー７内でがたつくことがなく、頭頂カバー３が頭部外周カバー７内で動いて、擦れたり、凹む等して、内部を傷付けたり、合成樹脂の物性の劣化を早めることがない。また、頭頂カバー３の折り畳み時に、頭頂カバー３と連結カバー５と頭部外周カバー７が一体化しているので、動いて偏った状態になることがなく、頭頂カバー３を頭部外周カバー７からスムーズに引き出すことができる。このように、折り畳みヘルメット１は、連結カバー５を頭部外周カバー７の内側に撓ませて頭頂カバー３を頭部外周カバー７内に収納して折り畳むことができ、連結カバー５を頭部外周カバー７の外側に撓ませて頭頂カバー３を頭部外周カバー７から引き出して展開することができ、簡単に使用することができる。
【００１８】
折り畳みヘルメット１は、頭頂カバー３と頭部外周カバー７と連結カバー５を連結する連結部がないので、頭頂カバー３を頭部外周カバー７から引き出してヘルメット１の帽体２を形成しても、帽体２の内面に突出部が存在せずに平面であり、ヘルメット１の帽体２を頭部に被っても、頭部に接触する突出部がないので、頭を傷付けてしまう恐れがない。折り畳みヘルメット１は、帽体２が、頭頂カバー３と頭部外周カバー７と連結カバー５とで一体形成されているので、それぞれ別個に製造する手間が省け安価且つ容易に製造することができる。折り畳みヘルメット１は、帽体２が頭頂カバー３と頭部外周カバー７と連結カバー５とで一体形成されているので、頭頂カバー３を頭部外周カバー７から引き出した時に確実に連結できる連結部等の面倒な構成を必要とせず、製造が容易であり、頭頂カバー３と連結カバー５と頭部外周カバー７の微妙な位置関係が不要で、組み立てが容易である。
【００１９】
折り畳みヘルメット１は、図３，１４に示すように、帽体２の周囲に、ガード手段２１が設けられている。ガード手段２１は、図４に示すように、頭部外周カバー７の外周面に取り付けられる環状の外周ガード２２と、外周ガード２２の上部周縁２２ａに屈曲可能に設けられ、連結カバー５の外周面側をガードする複数の羽根ガード２３と、頭頂カバー３に設けられ、前記複数の羽根ガード２３の先端部２３ｂに接触可能な上部ガード２５とを有する。折り畳みヘルメット１は、連結カバー５を頭部外周カバー７の内側に撓ませて頭頂カバー３を頭部外周カバー７内に収納すると上部ガード２５が複数の羽根ガード２３の先端部２３ｂを押し下げて屈曲させ、連結カバー５を頭部外周カバー７の外側に撓ませて頭頂カバー３を頭部外周カバー７から引き出すと、複数の羽根ガード２３が押し上げられて連結カバー５を覆う。
【００２０】
折り畳みヘルメット１は、図１，７に示すように、折り畳んだ状態から、連結カバー５を頭部外周カバー７の外側に撓ませて頭頂カバー３を頭部外周カバー７から引き出して展開して帽体２を構成すると、図３，１４に示すように、比較的柔らかい可撓性連結カバー５が複数の羽根ガード２３によって覆われてガードされるので、折り畳みヘルメット１の防御機能を高めることができる。また、折り畳みヘルメット１は、連結カバー５を頭部外周カバー７の内側に撓ませて頭頂カバー３を頭部外周カバー７内に収納して折り畳むと、上部ガード２５が羽根ガード２３の先端部２３ｂを押し下げて屈曲させるので、複数の羽根ガード２３が折り畳まれて折り畳み時の障害にはならない。
【００２１】
さらに、折り畳みヘルメットについて詳細に説明する。折り畳みヘルメット１の帽体２は、図２３，４に示すように、頭頂カバー３と、連結カバー５と、頭部外周カバー７とからなる。頭頂カバー３は、ＡＢＳ樹脂、ＰＣ樹脂（ポリカーボネート）、ＰＥ樹脂（ポリエチレン）、ＰＰ樹脂（ポリプロピレン）等の硬質合成樹脂によって湾曲した円盤状に形成されている。頭部外周カバー７は、頭頂カバー３と同様に、ＡＢＳ樹脂、ＰＣ樹脂、ＰＥ樹脂、ＰＰ樹脂等の硬質合成樹脂によって環状に形成されている。連結カバー５は、ゴム、エラストマー、シリコン、ＰＰ等の可撓性合成樹脂によって形成され、頭頂カバー３の開放端（下部）周縁３ａと頭部外周カバー７の上部周縁７ａを連結する環状に形成されている。頭部外周カバー７は、下部周縁７ｂに略Ｕ字状のリブ縁８が形成され、正面下端７ｃにリブ縁８が切り欠かれて庇９が設けられている。リブ縁８は、帽体２の剛性を高めるために略Ｕ字状に形成されているが、帽体２の剛性を高める形状であればよく、略Ｕ字状に限定されるものではない。連結カバー５は、折り畳めるように、波状に形成されている。
【００２２】
頭頂カバー３は、頭部外周カバー７内に収納可能な大きさに形成されている。ＡＢＳ樹脂、ＰＣ樹脂、ＰＥ樹脂、ＰＰ樹脂等の硬質合成樹脂によって頭頂カバー３と頭部外周カバー７を成形し、次に、頭頂カバー３の下部周縁３ａと頭部外周カバー７の上部周縁７ａを接続するようにして、ゴム、エラストマー、シリコン樹脂、ＰＰ樹脂等の可撓性合成樹脂によって連結カバー５を成形（いわゆる多色成形）して、折り畳みヘルメット１の帽体２を形成することができる。頭頂カバー３の内面３ｂには、ＰＳ樹脂（ポリスチレン）、ＰＥ樹脂，ＰＰ樹脂等の合成樹脂発泡体、ゴム発泡体等によって形成された衝撃吸収用のライナー４が設けられている。また、図４，１５に示すように、頭部外周カバー７の内面７ｄには、ビス等の取付金具１１によって、頭部調節ベルト１３と、ハンモック１５が取り付けられている。頭部調節ベルト１３は、装着者の頭部に合わせてサイズを調節することができる。ハンモック１５は、頭部に装着すると、頭部と帽体２の間に空間を形成し、帽体２の衝撃が頭部に直接こないように衝撃を吸収するものである。
【００２３】
折り畳みヘルメット１の帽体２は、図４，２３に示すように、頭頂カバー３が頭部外周カバー７内から連結カバー５の素材の弾性によって押し出されて突出した状態で保持されており、作業者が頭部に装着することできる。折り畳みヘルメット１の帽体２は、図２，１８に示すように、頭頂カバー３を連結カバー５の素材の弾性に抗して押し下げると、連結カバー５を頭部外周カバー７の内側に撓ませて頭頂カバー３を頭部外周カバー７内に収納できる。頭頂カバー３は、連結カバー５の素材の弾性によって、頭部外周カバー７内で収容された状態で保持される。折り畳みヘルメット１の帽体２は、図４，２３に示すように、頭頂カバー３を連結カバー５の素材の弾性に抗して押し上げると、連結カバー５を頭部外周カバー７の外側に撓ませて頭頂カバー３を頭部外周カバー７から押し出されて突出した状態で保持される。
【００２４】
折り畳みヘルメット１は、図３，４に示すように、帽体２の周囲に、ガード手段２１が設けられている。ガード手段２１は、頭部外周カバー７の外周に取り付けられる環状の外周ガード２２と、外周ガード２２の上端周縁２２ａに屈曲可能に設けられ、連結カバー５の外周面をガードする複数の羽根ガード２３・・・と、頭頂カバー３に固定され、前記複数の羽根ガード２３の上縁２３ｂに接触可能な上部ガード２５とからなる。外周ガード２２は、頭部外周カバー７の外周面に固定手段を介して固定して取り付けられる。上部ガード２５は、頭頂カバー３に固定手段２４を介して固定して取り付けられる。この固定手段は、ネジ、リブ、爪、フック等の機械的手段、接着剤の化学的手段等があり、状況に応じて選択できる技術的設計事項であり、特に限定するものではない。
【００２５】
図５，６に示すように、外周ガード２２と羽根ガード２３は、ＡＢＳ樹脂、ＰＣ樹脂、ＰＥ樹脂、ＰＰ樹脂等の硬質合成樹脂によって細長帯状に一体形成されている。外周ガード２２は、頭部外周カバー７の外周面に巻き付けるようにしてから、前述したように、固定手段を介して固定して取り付けられるので、両端２２ｂ，２２ｃが接触した状態、両端２２ｂ，２２ｃが少し重なった状態、又は両端２２ｂ，２２ｃが少し離れた状態で、頭部外周カバー７に環状に構成されて取り付けられる。なお、外周ガード２２は、両端２２ｂ，２２ｃを接続手段により接続して環状に構成してから、帽体２に被せ、頭部外周カバー７に固定手段を介して取り付けても構わない。
【００２６】
羽根ガード２３は、後方に緩やかに湾曲して傾斜する前縁２３ａと、外周ガード２２と略平行な上縁２３ｂと、略垂直方向に緩やかに湾曲した後縁２３ｃとで形成されている。羽根ガード２３は、外周ガード２２に、先行する羽根ガード２３の後縁２３ｃと次の羽根ガード２３の前縁２３ａに隙間が形成されるようにして設けられている。羽根ガード２３は、外周カード２２が環状に構成されると、これの後縁２３ｃが次の羽根ガード２３の前縁２３ａの上に重なるようになっている。
【００２７】
上部ガード２５は、ＡＢＳ樹脂、ＰＣ樹脂、ＰＥ樹脂、ＰＰ樹脂等の硬質合成樹脂によって円盤状に形成され、頭頂カバー３に固定されている。上部ガード２５は、頭頂カバー３に固定手段２４を介して固定して取り付けられる点は、上記した通りである。上部ガード２５は、頭頂カバー３をガードすると共に、羽根ガード２３の上縁２３ｂに接触するようになっている。
【００２８】
図１，２に示すように、折り畳みヘルメット１は、前述したように、連結カバー５を頭部外周カバー７の内側に撓ませて頭頂カバー３を頭部外周カバー７内に収納すると、頭頂カバー３に固定された上部ガード２５が連動して複数の羽根ガード２３の上縁２３ｂを押し下げて羽根ガード２３を外周ガード２２に対して略直角に屈曲させる。羽根ガード２３は、これの後縁２３ｃが次の羽根ガード２３の前縁２３ａの上に重なるようにして、閉じるように折り畳まれる。このようにして、折り畳みヘルメット１を小さく折り畳むことができる。
【００２９】
図３，４に示すように、折り畳みヘルメット１は、前述したように、頭頂カバー３を頭部外周カバー７内から押し出すと、連結カバー５が頭部外周カバー７の外側に撓むことになり、連結カバー５の素材の弾性により、頭頂カバー３が頭部外周カバー７内から突出した状態で保持される。頭頂カバー３が押し出されると、頭頂カバー３に固定された上部ガード２５が連動して、羽根ガード２３の上縁２３ｂから離れる方向に移動する。連結カバー５が外側に撓むと、頭頂カバー３及び／又は連結カバー５が複数の羽根ガード２３を内側から外側に開くように押し出し、羽根ガード２３が連結カバー５を覆う。上部ガード２５は、折り畳みヘルメット１が展開されている時、羽根ガード２３の上縁２３ｂと接触しているが、羽根ガード２３から離れていても構わない。
【産業上の利用可能性】
【００３０】
本発明は、折り畳むことができる折り畳みヘルメットに関するものである。
【符号の説明】
【００３１】
１  折り畳みヘルメット
２  帽体
３  頭頂カバー
３ａ  下部周縁
３ｂ  内面
４  ライナー
５  連結カバー
７  頭部外周カバー
７ａ  上部周縁
７ｂ  下部周縁
７ｃ  正面下端
７ｄ  内面
８  リブ縁
９  庇
１１  取付金具
１３  頭部調節ベルト
１５  ハンモック
２１  ガード手段
２２  外周ガード
２２ａ  上端周縁
２２ｂ  端部
２２ｃ  端部
２３  羽根ガード
２３ａ  前縁
２３ｂ  上縁（先端部）
２３ｃ  後縁
２４  固定手段
２５  上部ガード
【図１】
0006401963.tif 000002
【図２】
0006401963.tif 000003
【図３】
0006401963.tif 000004
【図４】
0006401963.tif 000005
【図５】
0006401963.tif 000006
【図６】
0006401963.tif 000007
【図７】
0006401963.tif 000008
【図８】
0006401963.tif 000009
【図９】
0006401963.tif 000010
【図１０】
0006401963.tif 000011
【図１１】
0006401963.tif 000012
【図１２】
0006401963.tif 000013
【図１３】
0006401963.tif 000014
【図１４】
0006401963.tif 000015
【図１５】
0006401963.tif 000016
【図１６】
0006401963.tif 000017
【図１７】
0006401963.tif 000018
【図１８】
0006401963.tif 000019
【図１９】
0006401963.tif 000020
【図２０】
0006401963.tif 000021
【図２１】
0006401963.tif 000022
【図２２】
0006401963.tif 000023
【図２３】
0006401963.tif 000024